(57)【要約】【課題】表示部の輝度を変化させる際におけるコントローラの負荷を抑制する。【解決手段】本発明の発光装置１０は、駆動トランジスタＴｄと、発光素子１１と、発光制御トランジスタＴｓとを含む画素回路Ｐと、発光期間の時間長を示すデューティ比（発光期間データ）を、調光期間内の各単位期間Ｆについて記憶するメモリ３０と、画素回路Ｐを駆動する駆動回路２０とを含む。駆動回路２０に含まれる発光制御回路２６は、調光期間内の各単位期間Ｆにおいて、当該単位期間Ｆに対応したデューティ比をメモリ３０から読み出し、当該デューティ比が示す発光期間の時間長だけハイレベルに維持される発光制御信号ＧＥＬを生成して画素回路Ｐへ出力する。【選択図】      図１
2010266784.tif 000002
【特許請求の範囲】
【請求項１】
駆動電流を生成する駆動トランジスタと、
前記駆動電流の供給により発光する発光素子と、
発光制御信号が指定する時間長の発光期間にて前記駆動電流を前記発光素子に供給する発光制御トランジスタと、を含む画素回路と、
発光期間の時間長を示す発光期間データを、調光を実施する調光期間内の複数の単位期間の各々について記憶する記憶手段と、
前記調光期間内の複数の単位期間の各々において、当該単位期間に対応した発光期間データを前記記憶手段から読み出し、当該発光期間データが示す時間長を指定する前記発光制御信号を生成して前記画素回路へ出力する駆動回路と、を備える、
発光装置。
【請求項２】
第１方向に配列する前記画素回路を各々が含む複数の画素回路群が前記第１方向とは異なる第２方向に並列に配置され、
前記駆動回路は、前記調光期間内の複数の単位期間の各々において、当該単位期間に対応した前記発光期間データが示す時間長を指定する前記発光制御信号を前記複数の画素回路群の各々へ順次に出力する、
請求項１の発光装置。
【請求項３】
前記駆動回路は、
前記調光期間内の複数の単位期間のうちの第１単位期間から第２単位期間に至るまでの各単位期間において、当該単位期間に対応した前記発光期間データを前記記憶手段から読み出し、当該発光期間データが示す時間長を指定する前記発光制御信号を出力する、
請求項１または請求項２の発光装置。
【請求項４】
請求項１から請求項３の何れかの発光装置を具備する電子機器。
【発明の詳細な説明】
【技術分野】
【０００１】
本発明は、発光装置および電子機器に関する。
【背景技術】
【０００２】
従来、外部のコントローラから入力される調光信号に応じて、表示部の輝度の調整を行う表示装置が知られている（例えば特許文献１参照）。特許文献１には、液晶パネルで表示部が構成された表示装置が開示されており、外部のコントローラ（画像処理エンジン）から入力される調光信号（バックライトを制御する制御信号）に基づいて、バックライト発光制御部がバックライトの光量を制御する。
【先行技術文献】
【特許文献】
【０００３】
【特許文献１】特開２００９−５８５６６号公報
【発明の概要】
【発明が解決しようとする課題】
【０００４】
上述の特許文献１の技術では、例えば表示部の輝度を段階的に変化させる場合、外部のコントローラは、各段階での輝度の指定値を含むコマンドを、段階ごとにバックライト発光制御部へ出力する必要がある。このため、外部のコントローラの負荷が大きいという問題があった。
以上の事情に鑑みて、本発明は、表示部の輝度を変化させる際における外部のコントローラの負荷を抑制するという課題の解決を目的としている。
【課題を解決するための手段】
【０００５】
以上の課題を解決するために、本発明に係る発光装置は、駆動電流を生成する駆動トランジスタと、駆動電流の供給により発光する発光素子と、発光制御信号が指定する時間長の発光期間にて駆動電流を発光素子に供給する発光制御トランジスタと、を含む画素回路と、発光期間の時間長を示す発光期間データを、調光を実施する調光期間内の複数の単位期間の各々について記憶する記憶手段と、調光期間内の複数の単位期間の各々において、当該単位期間に対応した発光期間データを前記記憶手段から読み出し、当該発光期間データが示す時間長を指定する発光制御信号を生成して画素回路へ出力する駆動回路と、を備える。
【０００６】
この態様においては、調光期間内の複数の単位期間の各々に対応する発光期間データが予め記憶手段に記憶されている。そして、駆動回路は、調光期間内の複数の単位期間の各々において、当該単位期間に対応する発光期間データを記憶手段から読み出し、その発光期間データが示す時間長を指定する発光制御信号を生成して画素回路へ出力する。つまり、外部のコントローラは、調光期間内の各単位期間において、当該単位期間に対応する発光期間データ（コマンド）を駆動回路へ出力する必要は無い。したがって、この態様によれば、外部のコントローラの負荷を抑制できるという利点がある。
【０００７】
本発明に係る発光装置の態様として、第１方向に配列する画素回路を各々が含む複数の画素回路群が第１方向とは異なる第２方向に並列に配置され、駆動回路は、調光期間内の複数の単位期間の各々において、当該単位期間に対応した発光期間データが示す時間長を指定する発光制御信号を複数の画素回路群の各々へ順次に出力する。この態様によれば、複数の画素回路が行列状に配列された画像領域の輝度は、第２方向に沿って順次に変化していくから、画像領域の輝度が一斉に変化する態様に比べて輝度の変化がスムーズであり、光のチラツキを抑制できるという利点がある。
【０００８】
本発明に係る発光装置の態様として、駆動回路は、調光期間内の複数の単位期間のうちの第１単位期間から第２単位期間に至るまでの各単位期間において、当該単位期間に対応した発光期間データを記憶手段から読み出し、当該発光期間データが示す時間長を指定する発光制御信号を出力する。すなわち、駆動回路は、記憶手段に記憶された各発光期間データの一部を利用することで、発光装置の輝度を変更することができる。
【０００９】
また、本発明に係る発光装置は各種の電子機器に利用することができる。この電子機器の典型例は、発光装置を表示装置として利用した機器である。この種の機器としては、パーソナルコンピュータや携帯電話機などがある。
【図面の簡単な説明】
【００１０】
【図１】本発明の第１実施形態に係る発光装置の概略構成を示すブロック図である。
【図２】発光装置の点灯初期の動作を示すタイミングチャートである。
【図３】発光装置の消灯時の動作を示すタイミングチャートである。
【図４】第１調光データを示す図である。
【図５】第２調光データを示す図である。
【図６】本発明に係る電子機器の具体的な形態を示す斜視図である。
【図７】本発明に係る電子機器の具体的な形態を示す斜視図である。
【図８】本発明に係る電子機器の具体的な形態を示す斜視図である。
【発明を実施するための形態】
【００１１】
＜Ａ：第１実施形態＞
＜Ａ−１：構成＞
図１は、本発明の第１実施形態に係る発光装置１０の概略構成を示すブロック図である。この発光装置１０は、画像を表示するための手段として各種の電子機器に採用される装置であり、複数の画素回路Ｐが面状に配列された画素アレイ部１００と、駆動回路２０と、メモリ３０とを有する。
【００１２】
図１に示すように、画素アレイ部１００には、Ｘ方向に延在するｍ本の走査線１０２と、各走査線１０２と対をなしてＸ方向に延在するｍ本の発光制御線１０４と、Ｘ方向に直交するＹ方向に延在するｎ本のデータ線１０６とが設けられる（ｍおよびｎは自然数）。各画素回路Ｐは、走査線１０２および発光制御線１０４の対とデータ線１０６との交差に対応して配置される。従って、これらの画素回路Ｐは縦ｍ行×横ｎ列のマトリクス状に配列する。見方を変えれば、Ｘ方向に配列する複数（ｎ個）の画素回路Ｐを各々が含む複数（ｍ個）の画素回路群Ｇが、Ｙ方向に並列に配置されていると捉えることができる。
【００１３】
各画素回路Ｐは、駆動電流を生成する駆動トランジスタＴｄと、駆動電流の供給により発光する発光素子１１と、発光素子１１に対する駆動電流の供給の可否を決定する発光制御トランジスタＴｓとを含む。発光素子１１は、陽極と陰極との間に有機ＥＬ材料の発光層を介在させたＯＬＥＤ素子である。図１に示すように、Ｎチャネル型の駆動トランジスタＴｄ、Ｎチャネル型の発光制御トランジスタＴｓおよび発光素子１１は、高位側電位ＶＥＬが供給される高位側給電線と、低位側電位ＧＮＤが供給される低位側給電線との間に直列的に配置される。発光制御トランジスタＴｓのゲートは、発光制御線１０４に接続される。駆動トランジスタＴｄのゲートとデータ線１０６との間にはＮチャネル型のトランジスタＴｒが配置される。トランジスタＴｒのゲートは走査線１０２に接続される。
【００１４】
駆動回路２０は、各画素回路Ｐを駆動する手段である。本実施形態では、図１に示すように、駆動回路２０は、走査線駆動回路２２と、データ線駆動回路２４と、発光制御回路２６とを含む。なお、図１においては、走査線駆動回路２２、データ線駆動回路２４および発光制御回路２６の各々が別個の回路として図示されているが、これらの回路の一部または全部が単一の回路とされた構成も採用され得る。
【００１５】
走査線駆動回路２２は、複数の画素回路Ｐを行単位で選択するための回路である。走査線駆動回路２２は順次アクティブとなる走査信号ＧWRT[１]ないしＧWRT[ｍ]を生成してｍ本の走査線１０２の各々に出力する。第ｉ行（ｉは１≦ｉ≦ｍを満たす整数）の走査線１０２に供給される走査信号ＧWRT[ｉ]のアクティブ状態への遷移は、第ｉ行のｎ個の画素回路Ｐの選択を意味する。すなわち、第ｉ行の画素回路群Ｇの選択を意味する。図２および図３に示すように、各単位期間Ｆ内において、走査信号ＧＷＲＴ[１]〜ＧＷＲＴ[ｍ]は順次アクティブレベル（ハイレベル）に遷移する。
【００１６】
データ線駆動回路２４は、走査線駆動回路２２によって選択された走査線１０２に対応するｎ個の画素回路Ｐの各々の階調に応じたデータ電位ＶＤ[１]ないしＶＤ[ｎ]を生成して各データ線１０６に出力する。データ線駆動回路２４には、外部のコントローラ（図示省略）から、各画素回路Ｐの階調を指定するデータｄが供給される。第ｊ列目（ｊは１≦ｊ≦ｎを満たす整数）のデータ線１０６に出力されるデータ電位ＶＤをＶＤ[ｊ]と表記する。
【００１７】
発光制御回路２６は、各画素回路群Ｇの発光期間の時間長を指定する発光制御信号ＧＥＬ[１]〜ＧＥＬ[ｍ]を生成して各発光制御線１０４へ順次に出力する。図２および図３に示すように、各発光制御線１０４に出力される発光制御信号ＧＥＬ[１]〜ＧＥＬ[ｍ]は、当該発光制御線１０４に対応する走査線１０２の選択が各単位期間Ｆにおいて終了（当該走査線１０２に出力される走査信号がハイレベルからローレベルに遷移）して時間長tkが経過した時点から、所定の時間長だけアクティブレベル（ハイレベル）に設定される。発光制御信号がハイレベルに遷移すると、対応する画素回路群Ｇに属するｎ個の画素回路Ｐの各々の発光制御トランジスタＴｓは一斉にオン状態に遷移するから、発光制御信号がハイレベルに維持される期間は、対応する画素回路群Ｇの発光期間に相当する。発光制御回路２６は、外部のコントローラ（図示省略）から供給される点灯信号Ｓｔや消灯信号Ｓｌに基づいて、各画素回路群Ｇの発光期間を単位期間Ｆごとに決定する。その詳細な内容については後述する。なお、点灯信号Ｓｔは発光装置１０の点灯を指示する信号であり、発光装置１０の電源投入直後に外部のコントローラから発光制御回路２６へ供給される。消灯信号Ｓｌは発光装置１０の消灯を指示する信号である。
【００１８】
ここで、本実施形態では、複数の単位期間Ｆにわたる調光期間内で各画素回路群Ｇの調光が実施される。発光制御回路２６は、ひとつの単位期間Ｆの全時間長に対する発光期間の時間長（発光制御信号がハイレベルに維持される時間長）の割合を示すデューティ比を、調光期間内の単位期間Ｆごとに制御することで調光を実施する。より具体的には、メモリ３０には、調光期間内の各単位期間Ｆに対応するデューティ比が時系列的に配列された調光データが記憶されており、発光制御回路２６は、調光期間内の各単位期間Ｆにおいて、当該単位期間Ｆに対応するデューティ比をメモリ３０に記憶された調光データから読み出し、発光制御信号ＧＥＬ[１]〜ＧＥＬ[ｍ]のデューティ比を調光データから読み出したデューティ比に順次に設定する。
【００１９】
本実施形態では、点灯信号Ｓｔが発光制御回路２６に供給されたときの調光に用いられる第１調光データと、消灯信号Ｓｌが発光制御回路２６に供給されたときの調光に用いられる第２調光データとがメモリ３０に記憶されている。図４は、第１調光データを示す図である。発光装置１０の電源投入直後において点灯信号Ｓｔが発光制御回路２６に供給されると、発光制御回路２６は、デューティ比が図４に示す調光カーブに沿って経時的に増加するように（２０％→４０％→６０％→Ｄmax％）、調光期間内の単位期間Ｆごとにデューティ比を指定する。ここでは、点灯信号Ｓｔが発光制御回路２６に供給された時点を始点とする第１番目の単位期間Ｆから、第４番目の単位期間に至るまでの期間が調光期間となる。本実施形態では、この期間（第１番目の単位期間Ｆから第４番目の単位期間に至るまでの期間）を「点灯初期」と呼ぶ。
【００２０】
図５は、第２調光データを示す図である。消灯信号Ｓｌが発光制御回路２６に供給されると、発光制御回路２６は、デューティ比が図５に示す調光カーブに沿って経時的に減少するように（Ｄmax％→６０％→４０％→２０％→０％）、調光期間内の単位期間Ｆごとにデューティ比を指定する。ここでは、消灯信号Ｓｌが発光制御回路２６に供給された時点を始点とする第１番目の単位期間Ｆから、第５番目の単位期間Ｆに至るまでの期間が調光期間となる。本実施形態では、この期間（第１番目の単位期間Ｆから第５番目の単位期間Ｆに至るまでの期間）を「消灯期間」と呼ぶ。
【００２１】
＜Ａ−２：発光装置の具体的な動作＞
次に、図２および図４を参照しながら、点灯初期における発光装置１０の動作を説明する。図２は、点灯初期における発光装置１０の具体的な動作を示すタイミングチャートである。点灯信号Ｓｔが発光制御回路２６に供給されると、発光制御回路２６は、メモリ３０に記憶された第１調光データに基づいて発光制御信号ＧＥＬ[１]〜ＧＥＬ[ｍ]のデューティ比を制御する。より具体的には、以下のとおりである。
【００２２】
先ず、点灯信号Ｓｔが発光制御回路２６に供給された時点を始点とする第１番目の単位期間Ｆにおいて、発光制御回路２６は、当該第１番目の単位期間Ｆに対応するデューティ比を図４に示す第１調光データから読み出し、当該デューティ比が示す発光期間の時間長だけハイレベルとなる発光制御信号ＧＥＬ[１]〜ＧＥＬ[ｍ]を生成して複数の画素回路群Ｇの各々へ順次に出力する。図４に示すように、第１番目の単位期間Ｆに対応するデューティ比は２０％であるから、発光制御信号ＧＥＬ[１]〜ＧＥＬ[ｍ]の各々がハイレベルを維持する時間長は、単位期間Ｆの全時間長の２０％に設定される。このため、図２に示すように、各行の発光制御線１０４に出力される発光制御信号ＧＥＬ[１]〜ＧＥＬ[ｍ]は、当該行に対応する走査信号ＧＷＲＴが第１番目の単位期間Ｆにおいてハイレベルからローレベルに遷移して時間長tkが経過した時点から、単位期間Ｆの時間長の２０％に相当する時間長Ｔ20だけハイレベルとなる。
【００２３】
同様に、第２番目の単位期間Ｆ〜第４番目の単位期間Ｆの各々（調光期間内の各単位期間Ｆ）においても、発光制御回路２６は、当該単位期間Ｆに対応するデューティ比を第１調光データから読み出し、当該デューティ比を有する発光制御信号ＧＥＬ[１]〜ＧＥＬ[ｍ]を生成して複数の画素回路群Ｇの各々へ順次に出力する。第２番目の単位期間Ｆにおいては、発光制御信号ＧＥＬ[１]〜ＧＥＬ[ｍ]のデューティ比は４０％に設定される。また、第３番目の単位期間Ｆにおいては、発光制御信号ＧＥＬ[１]〜ＧＥＬ[ｍ]のデューティ比は６０％に設定される。さらに、第４番目以降の単位期間Ｆにおいては、発光制御信号ＧＥＬ[１]〜ＧＥＬ[ｍ]のデューティ比はＤmax％に設定されるという具合である。
【００２４】
次に、図３および図５を参照しながら、消灯期間における発光装置１０の動作を説明する。図３は、消灯期間における発光装置１０の具体的な動作を示すタイミングチャートである。消灯信号Ｓｌが発光制御回路２６に供給されると、発光制御回路２６は、メモリ３０に記憶された第２調光データに基づいて発光制御信号ＧＥＬ[１]〜ＧＥＬ[ｍ]のデューティ比を制御する。より具体的には、以下のとおりである。
【００２５】
先ず、消灯信号Ｓｌが発光制御回路２６に供給された時点を始点とする第１番目の単位期間Ｆにおいて、発光制御回路２６は、当該第１番目の単位期間Ｆに対応するデューティ比を図５に示す第２調光データから読み出し、当該デューティ比が示す発光期間の時間長だけハイレベルとなる発光制御信号ＧＥＬ[１]〜ＧＥＬ[ｍ]を生成して複数の画素回路群Ｇの各々へ順次に出力する。図５に示すように、第１番目の単位期間Ｆに対応するデューティ比はＤmax％であるから、発光制御信号ＧＥＬ[１]〜ＧＥＬ[ｍ]の各々がハイレベルを維持する時間長は、単位期間Ｆの全時間長のＤmax％に設定される。このため、図３に示すように、各行の発光制御線１０４に出力される発光制御信号ＧＥＬ[１]〜ＧＥＬ[ｍ]は、当該行に対応する走査信号ＧＷＲＴが第１番目の単位期間Ｆにおいてハイレベルからローレベルに遷移して時間長tkが経過した時点から、単位期間Ｆの時間長のＤmax％に相当する時間長Ｔmaxだけハイレベルとなる。
【００２６】
同様に、第２番目の単位期間Ｆ〜第５番目の単位期間Ｆの各々（調光期間内の各単位期間Ｆ）においても、発光制御回路２６は、当該単位期間Ｆに対応するデューティ比を第２調光データから読み出し、当該デューティ比を有する発光制御信号ＧＥＬ[１]〜ＧＥＬ[ｍ]を生成して複数の画素回路群Ｇの各々へ順次に出力する。第２番目の単位期間Ｆにおいては、発光制御信号ＧＥＬ[１]〜ＧＥＬ[ｍ]のデューティ比は６０％に設定される。また、第３番目の単位期間Ｆにおいては、発光制御信号ＧＥＬ[１]〜ＧＥＬ[ｍ]のデューティ比は４０％に設定される。さらに、第４番目の単位期間Ｆにおいては、発光制御信号ＧＥＬ[１]〜ＧＥＬ[ｍ]のデューティ比は２０％に設定される。そして、第５番目以降の単位期間Ｆにおいては、発光制御信号ＧＥＬ[１]〜ＧＥＬ[ｍ]のデューティ比は０％に設定されるという具合である。
【００２７】
以上に説明したように、本実施形態においては、調光期間内の複数の単位期間Ｆの各々に対応するデューティ比が、発光装置１０が有するメモリ３０に予め記憶されている。そして、発光制御回路２６は、調光期間内の複数の単位期間Ｆの各々において、当該単位期間Ｆに対応するデューティ比をメモリ３０から読み出し、当該デューティ比が示す発光期間の時間長だけハイレベルとなる発光制御信号ＧＥＬ[１]〜ＧＥＬ[ｍ]を生成して複数の画素回路群Ｇの各々へ順次に出力する。つまり、外部のコントローラ（図示省略）は、調光期間内の複数の単位期間Ｆの各々において、当該単位期間Ｆに対応するデューティ比を発光制御回路２６（駆動回路２０）へ出力する必要は無い。したがって、本実施形態によれば、外部のコントローラの負荷を抑制できるという利点がある。
【００２８】
また、本実施形態では、調光期間内の単位期間Ｆごとに当該単位期間Ｆに対応するデューティ比に設定される発光制御信号ＧＥＬ[１]〜ＧＥＬ[ｍ]が、順次に（行ごとに）ハイレベルに遷移していくから、画素アレイ部１００の輝度は図１に示すＹ方向に沿って順次に変化していく。したがって、画素アレイ部１００の輝度が一斉に変化する態様に比べて輝度の変化がスムーズであり、光のチラツキを抑制できるという利点がある。
【００２９】
＜Ｂ：第２実施形態＞
第１実施形態に係る発光装置１０では、点灯初期および消灯期間以外の期間（以下、「通常点灯期間」と呼ぶ）においては調光が行われない（デューティ比はＤmaxに維持される）が、第２実施形態に係る発光装置１０では、通常点灯期間においても調光が行われる点で上述の第１実施形態と異なる。そして、発光制御回路２６は、メモリ３０に記憶された第１調光データまたは第２調光データの一部を利用して、通常点灯期間における調光を行う。なお、第２実施形態に係る発光装置１０の基本的な構成は第１実施形態と同じであるため、重複する部分については説明を省略する。
【００３０】
通常点灯期間において、調光の指示とともに変更後のデューティ比を指定する輝度信号が、外部のコントローラから発光制御回路２６へ入力されると、発光制御回路２６は、メモリ３０に記憶された調光データが示す調光カーブに沿って変更後のデューティ比まで変化するように、各単位期間Ｆにおける発光制御信号ＧＥＬ[１]〜ＧＥＬ[ｍ]のデューティ比を制御する。いま、デューティ比を４０％に指定する輝度信号が、外部のコントローラから発光制御回路２６へ入力された場合を想定する。この場合、発光制御回路２６は、メモリ３０に記憶された第２調光データの一部を用いて調光を行う。より具体的には、この場合、図５に示す第１番目の単位期間Ｆから第３番目の単位期間Ｆに至るまでの期間が調光期間となり、発光制御回路２６は、調光期間内の各単位期間Ｆにおいて、当該単位期間に対応するデューティ比を第２調光データから読み出し、当該デューティ比が示す発光期間の時間長だけハイレベルとなる発光制御信号ＧＥＬ[１]〜ＧＥＬ[ｍ]を生成して複数の画素回路群Ｇの各々へ順次に出力する。
【００３１】
さらに詳述すると以下のとおりである。先ず、デューティ比を４０％に指定する輝度信号が発光制御回路２６に入力された時点を始点とする最初の単位期間Ｆにおいて、発光制御回路２６は、図５に示す第１番目の単位期間Ｆに対応するデューティ比（Ｄmax％）を第２調光データから読み出し、発光制御信号ＧＥＬ[１]〜ＧＥＬ[ｍ]のデューティ比をＤmax％に設定する。次の単位期間Ｆにおいては、発光制御回路２６は、図５に示す第２番目の単位期間Ｆに対応するデューティ比（６０％）を第２調光データから読み出し、発光制御信号ＧＥＬ[１]〜ＧＥＬ[ｍ]のデューティ比を６０％に設定する。さらに、その次の単位期間Ｆにおいて、発光制御回路２６は、図５に示す第３番目の単位期間Ｆに対応するデューティ比（４０％）を第２調光データから読み出し、発光制御信号ＧＥＬ[１]〜ＧＥＬ[ｍ]のデューティ比を４０％に設定する。以上より、各画素回路群Ｇのデューティ比は段階的に減少して（Ｄmax％→６０％→４０％）、指定された４０％に到達する。
【００３２】
続いて、デューティ比を再びＤmax％に指定する輝度信号が、外部のコントローラから発光制御回路２６へ入力された場合を想定する。この場合、発光制御回路２６は、メモリ３０に記憶された第１調光データの一部を用いて調光制御を行う。より具体的には、この場合、図４に示す第２番目の単位期間Ｆから第４番目の単位期間Ｆに至るまでの期間が調光期間となり、発光制御回路２６は、調光期間内の各単位期間Ｆにおいて、当該単位期間に対応するデューティ比を第１調光データから読み出し、当該デューティ比が示す発光期間の時間長だけハイレベルとなる発光制御信号ＧＥＬ[１]〜ＧＥＬ[ｍ]を生成して複数の画素回路群Ｇの各々へ順次に出力する。
【００３３】
さらに詳述すると以下のとおりである。先ず、デューティ比をＤmax％に指定する輝度信号が入力された時点を始点とする最初の単位期間Ｆにおいて、発光制御回路２６は、図４に示す第２番目の単位期間Ｆに対応するデューティ比（４０％）を第２調光データから読み出し、発光制御信号ＧＥＬ[１]〜ＧＥＬ[ｍ]のデューティ比を４０％に設定する。次の単位期間Ｆにおいて、発光制御回路２６は、図４に示す第３番目の単位期間Ｆに対応するデューティ比（６０％）を第１調光データから読み出し、発光制御信号ＧＥＬ[１]〜ＧＥＬ[ｍ]のデューティ比を６０％に設定する。さらに、その次の単位期間Ｆにおいて、発光制御回路２６は、図４に示す第４番目の単位期間Ｆに対応するデューティ比（Ｄmax％）を第１調光データから読み出し、発光制御信号ＧＥＬ[１]〜ＧＥＬ[ｍ]のデューティ比をＤmax％に設定する。以上より、各画素回路群Ｇのデューティ比は段階的に増加して（４０％→６０％→Ｄmax％）、指定されたＤmax％に到達する。
【００３４】
第２実施形態において、発光制御回路２６は、メモリ３０に記憶された第１調光データまたは第２調光データの一部を利用して、通常点灯期間における調光を行っているが、これに限らず、入力される輝度信号の複数の変化パターン（例えばＤmax→６０％、Ｄmax→４０％、４０％→Ｄmax、６０%→Ｄmax等）の各々に対応する複数の調光データを、第１調光データおよび第２調光データとは別にメモリ３０に記憶させておくという態様とすることもできる。この態様において、発光制御回路２６は、外部のコントローラから輝度信号が入力されると、そのときの輝度信号の変化パターンを求めて当該変化パターンに対応する調光データをメモリ３０から読み出し、当該調光データに基づいて調光を行うことができる。ただし、第２実施形態においては、第１調光データおよび第２調光データ以外の調光データをメモリ３０に記憶させる必要は無いから、メモリ３０に必要な容量を低減できるという利点がある。
【００３５】
＜Ｃ：変形例＞
本発明は上述した実施形態に限定されるものではなく、例えば、以下の変形が可能である。また、以下に示す変形例のうちの２以上の変形例を組み合わせることもできる。
【００３６】
（１）変形例１
図４に示すように、上述の各実施形態に係る第１調光データでは、第１番目の単位期間Ｆから第４番目の単位期間Ｆに至るまでの期間が調光期間に相当するが、これに限らず、調光期間の時間長や調光期間内の各単位期間Ｆに対応するデューティ比の値は任意である。例えば図４において、第１番目の単位期間Ｆから第３番目の単位期間Ｆに至るまでの期間を調光期間とするとともに、調光期間内の各単位期間Ｆに対応するデューティ比が段階的に増加して第３番目の単位期間Ｆに対応するデューティ比がＤmax％になるように設定することもできる。また、第１番目の単位期間Ｆから第５番目以降の任意の単位期間Ｆに至るまでの期間を調光期間とするとともに、調光期間内の各単位期間Ｆに対応するデューティ比が段階的に増加して当該任意の単位期間Ｆに対応するデューティ比がＤmax％になるように設定することもできる。図５に示す第２調光データについても同様である。
【００３７】
（２）変形例２
上述の各実施形態においては、発光期間の時間長を示す発光期間データとしてデューティ比を採用しているが、これに限らず、発光期間データを示すものは任意である。要するに、発光期間データは、発光期間の時間長を示すデータであればよい。例えば、デューティ比の代わりに、発光制御信号のパルス幅を指定するデータを発光期間データとして採用することもできる。
【００３８】
＜Ｄ：応用例＞
次に、本発明に係る発光装置を利用した電子機器について説明する。図６は、以上に説明した何れかの形態に係る発光装置１０を表示装置として採用したモバイル型のパーソナルコンピュータの構成を示す斜視図である。パーソナルコンピュータ２０００は、表示装置としての発光装置１０と本体部２０１０とを備える。本体部２０１０には、電源スイッチ２００１およびキーボード２００２が設けられている。この発光装置１０は発光素子ＥにＯＬＥＤ素子を使用しているので、視野角が広く見易い画面を表示できる。
【００３９】
図７に、以上に説明した何れかの形態に係る発光装置１０を表示装置として採用した携帯電話機の構成を示す。携帯電話機３０００は、複数の操作ボタン３００１およびスクロールボタン３００２、ならびに発光装置１０を備える。スクロールボタン３００２を操作することによって、発光装置１０に表示される画面がスクロールされる。
【００４０】
図８に、以上に説明した何れかの形態に係る発光装置１０を表示装置として採用した携帯情報端末（ＰＤＡ：Personal Digital Assistants）の構成を示す。情報携帯端末４０００は、複数の操作ボタン４００１および電源スイッチ４００２、ならびに発光装置１０を備える。電源スイッチ４００２を操作すると、住所録やスケジュール帳といった各種の情報が発光装置１０に表示される。
【００４１】
なお、本発明に係る発光装置が適用される電子機器としては、図６から図８に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【符号の説明】
【００４２】
１０……発光装置、２０……駆動回路、２２……走査線駆動回路、２４……データ線駆動回路、２６……発光制御回路、３０……メモリ、１００……画素アレイ部、１０２……走査線、１０４……発光制御線、１０６……データ線、Ｇ……画素回路群、ＧWRT[１]〜ＧWRT[ｍ]……走査信号、ＧEL[１]〜ＧEL[ｍ]……発光制御信号、ＶＤ[１]〜ＶＤ[ｎ]……データ電位、Ｐ……画素回路。
【図１】
2010266784.tif 000003
【図２】
2010266784.tif 000004
【図３】
2010266784.tif 000005
【図４】
2010266784.tif 000006
【図５】
2010266784.tif 000007
【図６】
2010266784.tif 000008
【図７】
2010266784.tif 000009
【図８】
2010266784.tif 000010